(57)【要約】【課題】  振幅制限された信号の歪みや減衰の不完全を無くして品質を向上させる。【解決手段】  第一分配器１１で入力信号ａ（ＲＦ信号）の一部が信号ｂとして分配され、この信号ｂが第二分配器１２で信号ｃと信号ｅに分配される。信号ｃは位相反転器１３で位相が反転され逆位相信号（信号ｄ）としてアナログスイッチ１６へ送られる。一方、信号ｅは検波器１４で包絡線検波され、検波出力が電圧比較器１５で比較電圧ｈと比較される。この電圧比較器１５からの信号ｉを制御信号として、アナログスイッチ１６にて逆位相信号がＯＮ／ＯＦＦ制御される。この出力信号ｊがＡ級増幅器１７で線形増幅され、可変減衰器１８で信号ｇにもとづき調整される。合成器１９にて、その調整された信号ｌと、遅延回路２０を介して第一分配器１１から送られてきた入力信号ａとが合成される。【選択図】    図１
2006287454.tif 000002
【特許請求の範囲】
【請求項１】
入力信号の振幅制限を行うリミッタ回路であって、
前記入力信号を分配して第一分配信号を得る第一分配器と、
前記第一分配信号を分配して第二分配信号を得る第二分配器と、
前記第一分配信号の位相を反転し逆位相信号として出力する位相反転器と、
所定の電圧値を示す比較電圧と前記第二分配信号とを比較し、前記第二分配信号のピークが前記比較電圧よりも超えているときに過剰ピーク検出信号を出力する電圧比較器と、
前記位相反転器から前記逆位相信号を入力し、前記電圧比較器から前記過剰ピーク検出信号を入力しているときのみ前記逆位相信号を出力するスイッチング回路と、
このスイッチング回路から出力された信号と前記入力信号とを合成し、この合成信号を出力する合成器とを備えた
ことを特徴とするリミッタ回路。
【請求項２】
前記過剰ピーク検出信号が、一定の電圧値を示すパルス信号からなり、
前記スイッチング回路が、アナログスイッチを含み、
このアナログスイッチが、前記位相反転器から前記逆位相信号を入力し、前記電圧比較器から前記過剰ピーク検出信号を入力しているときのみ前記逆位相信号をパルス状にして出力する
ことを特徴とする請求項１記載のリミッタ回路。
【請求項３】
前記第二分配信号を包絡線検波して、検波出力を得る検波器と、
前記スイッチング回路から出力された信号の振幅を前記検波出力にもとづいて調整する可変減衰器とを備えた
ことを特徴とする請求項１又は２記載のリミッタ回路。
【請求項４】
前記スイッチング回路から出力された信号を線形増幅して前記可変減衰器へ送る増幅器を備えた
ことを特徴とする請求項３記載のリミッタ回路。
【請求項５】
前記第一分配器から出力された前記入力信号を前記合成器へ送る信号経路に遅延回路を備え、
この遅延回路が、前記スイッチング回路を経由する前記第一分配器から前記合成器までの経路の電気長と同等の電気長を有する
ことを特徴とする請求項１〜４のいずれかに記載のリミッタ回路。
【請求項６】
前記合成器からの前記合成信号を入力する増幅用素子を備え、
前記比較電圧が、前記増幅用素子の最大入力電力の上限を設定する閾値を示す
ことを特徴とする請求項１〜５のいずれかに記載のリミッタ回路。
【請求項７】
高周波信号を増幅して出力する電力増幅器であって、
前記高周波信号の振幅制限を行う前記請求項１〜６に記載のリミッタ回路を備えた
ことを特徴とする電力増幅器。
【請求項８】
振幅変調された映像信号である高周波信号を増幅する高周波増幅器を備えたテレビ送信機であって、
前記高周波増幅器が、前記請求項７に記載の電力増幅器を含む
ことを特徴とするテレビ送信機。
【発明の詳細な説明】
【技術分野】
【０００１】
本発明は、入力信号の振幅制限を行うリミッタ回路、これを備えた電力増幅器、及びテレビ送信機に関し、特に、制限後の信号に無用な歪みを発生させないようにしたリミッタ回路、これを備えた電力増幅器及びテレビ送信機に関する。
【背景技術】
【０００２】
リミッタ回路は、入力信号における所定レベル以上の振幅を、その所定レベルを超えないように制限する回路をいう。
このリミッタ回路は、例えば、テレビ送信機に備えられた電力増幅器（振幅変調された映像信号である高周波信号を増幅する電力増幅器）に用いることができる（例えば、特許文献１参照。）。
【０００３】
ところで、従来のリミッタ回路は、一般に、ダイオードを用いて構成されている（例えば、特許文献１、２参照。）。
この従来のリミッタ回路の構成例を図５に示す。
同図に示すように、従来のリミッタ回路１００は、ダイオードＤ１とダイオードＤ２とを有している。そして、ダイオードＤ１のアノードが信号ラインに接続されており、カソードがコンデンサＣ１を介して接地されている。また、ダイオードＤ２のカソードがコンデンサＣ２を介して信号ラインに接続されており、アノードが接地されている。
さらに、それらダイオードＤ１，Ｄ２の各カソードには常時バイアス電圧（制御電圧）がかけられており、アノード側の電圧がバイアス電圧を超えない限り電流は通過しないようになっている。
【０００４】
通常、入力信号（例えば、ＲＦ（Ｒａｄｉｏ  Ｆｒｅｑｕｅｎｃｙ）信号）の電圧がダイオードＤ１（ダイオードＤ２）のバイアス電圧よりも低い場合、ダイオードＤ１（ダイオードＤ２）は、電流を通さず、従って入力信号はそのまま出力側へ出力される。しかし、入力信号の電圧がバイアス電圧を超えると、ダイオードＤ１（ダイオードＤ２）に電流が流れ、入力信号もダイオードＤ１（コンデンサＣ２）を通ってＧＮＤに流れる。このダイオードＤ１（ダイオードＤ２）の特性により、この回路はリミッタとしての機能を有する。
【特許文献１】特開平０６−２１６６６１号公報
【特許文献２】特開昭５９−１７８００８号公報
【発明の開示】
【発明が解決しようとする課題】
【０００５】
しかしながら、ダイオードを用いてリミッタ回路を構成することで、次のような問題が生じていた。
例えば、ダイオードが理想的な特性を有する場合には、図６の理想直線（同図における点線）で示したように、一定電圧になるまでは完全に電流を流さないが、その一定電圧に達した時点で電流を流す。すなわち、このときの入力信号の電圧とバイアス電圧は完全に一定となる。
【０００６】
この理想的な特性を有するダイオードを備えたリミッタ回路の入力信号、出力信号の各波形を図７（ａ），（ｂ）に示す。
入力信号が同図（ａ）に示すような上に凸の波形であって、リミッタ回路により一定電圧以上がカットされたとすると、リミッタ回路の出力信号の波形は、同図（ｂ）に示すようになる。すなわち、そのカットされた電圧のところで波形は直線となり、それ以上オーバーしない。
【０００７】
ところが、実際のダイオードの特性は、図６の「実際のダイオードの特性」にあるように、入力信号の電圧がバイアス電圧に達する前に電流を流し始め、また通過させる信号電圧も一定ではない（同図における「低振幅での歪み」の部分）。そのため、入力信号の電圧レベルが低い場合でもダイオードに信号が流れてしまい、リミッタ回路の出力信号には歪みが発生していた。
この歪みは相互変調歪みとして信号の品質に悪影響を与える。また、リミッタ回路の出力信号も完全に直線状にはカットされず、図７（ｃ）に示すように、一定電圧を少しオーバーしてしまっていた。
【０００８】
本発明は、上記の問題を解決すべくなされたものであり、振幅制限された信号の歪みや減衰の不完全を無くして品質向上を可能とするリミッタ回路、電力増幅器及びテレビ送信機の提供を目的とする。
【課題を解決するための手段】
【０００９】
この目的を達成するため、本発明のリミッタ回路は、入力信号における所定レベル以上の振幅を、その所定レベル以下に減衰させるリミッタ回路であって、入力信号を分配して第一分配信号を得る第一分配器と、第一分配信号を分配して第二分配信号を得る第二分配器と、第一分配信号の位相を反転し逆位相信号として出力する位相反転器と、所定の電圧値を示す比較電圧と第二分配信号とを比較し、第二分配信号のピークが比較電圧よりも超えているときに過剰ピーク検出信号を出力する電圧比較器と、位相反転器から逆位相信号を入力し、電圧比較器から過剰ピーク検出信号を入力しているときのみ逆位相信号を出力するスイッチング回路と、このスイッチング回路から出力された信号と入力信号とを合成し、この合成信号を出力する合成器とを備えた構成としてある。
【００１０】
リミッタ回路をこのような構成とすると、位相反転器では、第一分配信号の位相が反転され、電圧比較器では、第二分配信号で過剰ピークが発生している期間が検出され、スイッチング回路では、その過剰ピークが発生している期間のみ逆位相信号を出力することができる。これにより、合成器では、入力信号における過剰ピークの発生部分のみを逆位相信号により減衰させることができる。したがって、入力信号における振幅の小さい部分（ピーク電圧が比較電圧に達していない部分）には影響を与えることなく、過剰ピーク部分の減衰を可能とし、これにより、無用な歪みの発生をなくすことができる。このため、振幅制限された信号の歪みや減衰の不完全を無くして品質向上を可能とすることができる。
【００１１】
また、本発明のリミッタ回路は、過剰ピーク検出信号が、一定の電圧値を示すパルス信号からなり、スイッチング回路が、アナログスイッチを含み、このアナログスイッチが、位相反転器から逆位相信号を入力し、電圧比較器から過剰ピーク検出信号を入力しているときのみ逆位相信号をパルス状にして出力する構成としてある。
【００１２】
リミッタ回路をこのような構成とすれば、電圧比較器は、入力信号で過剰ピークが発生している期間を示す信号をパルス波として出力することができる。そして、アナログスイッチは、逆位相信号を過剰ピーク時のみ出力させる際にパルス状にして抜き出すことができる。
【００１３】
また、本発明のリミッタ回路は、第二分配信号を包絡線検波して、検波出力を得る検波器と、スイッチング回路から出力された信号の振幅を検波出力にもとづいて調整する可変減衰器とを備えた構成としてある。
リミッタ回路をこのような構成とすると、可変減衰器において、スイッチング回路から出力された信号の振幅を入力信号のピーク電力のレベルに応じて調整することができる。これにより、合成器においては、入力信号の過剰電力分のみを減衰させることができる。
【００１４】
また、本発明のリミッタ回路は、スイッチング回路から出力された信号を線形増幅して可変減衰器へ送る増幅器を備えた構成としてある。
リミッタ回路をこのような構成とすれば、スイッチング回路（例えば、アナログスイッチ）から出力された信号を線形増幅して可変減衰器へ送ることができる。
【００１５】
また、本発明のリミッタ回路は、第一分配器から出力された入力信号を合成器へ送る信号経路に遅延回路を備え、この遅延回路が、スイッチング回路を経由する第一分配器から合成器までの経路の電気長と同等の電気長を有する構成としてある。
リミッタ回路をこのような構成とすると、合成器において、入力信号の過剰ピーク電力を入力するタイミングと、可変減衰器からの逆位相信号を入力するタイミングとを一致させることができる。これにより、過剰ピーク電力と逆位相信号とが完全に打ち消し合って、その過剰ピーク電力を所定レベル以下に減衰させることができる。
【００１６】
また、本発明のリミッタ回路は、合成器からの合成信号を入力する増幅用素子を備え、比較電圧が、増幅用素子の最大入力電力の上限を設定する閾値を示す構成としてある。
リミッタ回路をこのような構成とすれば、過剰ピーク電力を減衰させるときの所定レベルとして、増幅用素子の最大入力電力の上限を設定することができる。
【００１７】
また、本発明の電力増幅器は、高周波信号を増幅して出力する電力増幅器であって、高周波信号の振幅制限を行う上記請求項１〜６に記載のリミッタ回路を備えた構成としてある。
電力増幅器をこのような構成とすれば、高周波信号の振幅制限を行うリミッタ回路として本発明のリミッタ回路を用いることができる。これにより、そのリミッタ回路からは歪補償された信号が出力されるため、電力増幅器からは品質の優れた信号を出力することができる。
【００１８】
また、本発明のテレビ送信機は、振幅変調された映像信号である高周波信号を増幅する高周波増幅器を備えたテレビ送信機であって、高周波増幅器が、上記請求項７に記載の電力増幅器を含む構成としてある。
テレビ送信機をこのような構成とすれば、振幅変調された高周波信号を増幅する場合であって、その高周波信号の振幅制限を行うときに、相互変調歪みの発生を抑えることができる。このため、品質の優れた高周波信号を得ることができる。
【発明の効果】
【００１９】
以上のように、本発明によれば、入力信号経路（ＲＦ信号経路）から信号の一部を抽出し、その抽出信号を利用して過剰なピーク部分のみを打ち消す信号を生成し、この生成した信号を入力信号（ＲＦ信号）と合成する構成としたため、過剰なピークが入力された部分のみに作用し（この部分のみを減衰させ）、信号の振幅が小さい部分には影響を与えない（この部分は減衰させない）ようにすることができる。これにより、振幅制限された信号に無用な歪みを発生させないようにすることができる。したがって、ダイオードを用いたリミッタ回路で発生するような、相互変調歪みの発生を抑えることができる。
さらに、入力信号（ＲＦ信号）の振幅レベルに合わせて逆位相信号を生成することで、確実に信号振幅を減衰させるため、入力信号の減衰不足による増幅用素子への過不足を起こさないようにすることができる。
【発明を実施するための最良の形態】
【００２０】
以下、本発明に係るリミッタ回路、電力増幅器及びテレビ送信機の好ましい実施形態について、図面を参照して説明する。
【００２１】
［リミッタ回路］
まず、本発明のリミッタ回路の実施形態について、図１を参照して説明する。
同図は、ＲＦのアンプに組み込まれたリミッタ回路の構成を示す系統図（ブロック図）である。
同図に示すように、本実施形態のリミッタ回路１０は、第一分配器１１と、第二分配器１２と、位相反転器１３と、検波器１４と、電圧比較器１５と、アナログスイッチ１６と、Ａ級増幅器１７と、可変減衰器１８と、合成器１９と、遅延回路２０と、増幅用素子２１とを備えている。
【００２２】
第一分配器１１は、リミッタ回路１０に入力された入力信号ａ（本実施形態においては、ＲＦ信号経路に入力されたＲＦ信号）を一部分配して信号ｂ（第一分配信号）を得る。この信号ｂは第二分配器１２へ送られる。また、入力信号ａ（ＲＦ信号）は、遅延回路２０を介して合成器１９へ送られる。
第二分配器１２は、第一分配器１１からの信号ｂを分配して信号ｃと信号ｅとを得る。この分配した一方の信号ｃは位相反転器１３へ、他方の信号ｅ（第二分配信号）は検波器１４へそれぞれ送られる。
【００２３】
位相反転器１３は、入力した信号ｃの位相を１８０度反転し、信号ｄ（逆位相信号）として出力する。この出力された信号ｄは、アナログスイッチ１６へ送られる。
検波器１４は、入力した信号ｅを包絡検波する。検波された信号ｅは、信号ｆと信号ｇの二つの信号に分けられる。それらのうち信号ｆは電圧比較器１５へ、信号ｇは可変減衰器１８へ送られる。
【００２４】
電圧比較器１５は、検波器１３から送られてきた信号ｆと所定の電圧値を示す比較電圧ｈとを比較する。
閾値となる比較電圧ｈは、増幅用素子２１又はそれを利用した装置により一意に決定される。つまり、通常、増幅用素子を利用する装置は、装置毎に必要なピーク電力が決まっており、必要以上のピーク電力を増幅（出力）する必要はない。またその過剰な電力は素子にダメージを与え、破壊する可能性もある。従って素子への入力信号ａのピーク電力は、素子毎の増幅量（利得）から逆算する事が出来る。また入力信号ａの最大振幅はその後の検波器１４の出力信号においてでも判定できる（分配器通過後の信号振幅は分配経路の通過ロスから逆算できる為）。すなわち、信号ｍの中に過剰振幅の部分が無くなる値を比較電圧で決めることができる。
【００２５】
それら信号ｆと比較電圧ｈ、そして電圧比較器１５から出力される信号の各波形を、図２（ａ），（ｂ）に示す。
同図（ａ）に示すように、電圧比較器１５に入力された信号ｆは、比較電圧ｈと比較される。そして、同図（ｂ）に示すように、信号ｆが比較電圧ｈを超えている期間のみ一定電圧が電圧比較器１５から出力される（信号ｉ（過剰ピーク検出信号））。この電圧比較器１５から出力された信号ｉは、アナログスイッチ１６へ送られる。
【００２６】
アナログスイッチ（スイッチング回路）１６は、入力信号を制御電圧でＯＮ／ＯＦＦすることができる。本実施形態においては、位相反転器１６からの信号ｄが入力信号に相当し、電圧比較器１４からの信号ｉが制御電圧に相当する。
それら信号ｄと信号ｉ、そしてアナログスイッチ１６から出力される信号の各波形を、図３（ａ），（ｂ）に示す。
【００２７】
アナログスイッチ１６には、同図（ａ）に示すような信号ｉ（制御信号）と信号ｄ（入力信号）とが入力される。そして、同図（ｂ）に示すように、信号ｉが一定電圧を示している期間のみ入力信号（信号ｄ）がパルス状に出力される。すなわち、信号ｄ（入力信号）が信号ｉ（制御電圧）でＯＮ／ＯＦＦ制御されて出力される。
このアナログスイッチ１６からの出力信号（信号ｊ）は、Ａ級増幅器１７へ送られる。
【００２８】
Ａ級増幅器１７は、アナログスイッチ１６から送られてきた信号ｊを線形増幅して可変減衰器１８へ送る。
【００２９】
可変減衰器（電圧制御型可変減衰器）１８は、Ａ級増幅器１７で線形増幅された信号（信号ｋ）を適当な電力の信号ｌに調整して合成器１９へ送る。すなわち、可変減衰器１８の制御信号（信号ｇ）を入力信号ａ（ＲＦ信号）の振幅に同期させ、減衰量を制御する。
検波器１４で検波された信号は振幅幅及び振幅量が入力信号と同期している。そのため、予め信号振幅と可変減衰器１８の減衰量の関係を最適になる様に決めておけば、合成器１９に入力される信号は、入力信号の振幅変動に最適に同期することになる。
【００３０】
また、この可変減衰器１８を設ける理由は、次による。
合成器１９で入力信号ａ（ＲＦ信号）と信号ｌとを合成する際、入力信号ａ（ＲＦ信号）の過剰ピーク時にその過剰電力分だけを減衰させる必要がある。ピーク電力は常に同じレベルで発生するとは限らないので、入力信号ａ（ＲＦ信号）の振幅レベルに合わせて逆位相信号の振幅レベルを変えなければならない。そこで、ＲＦ信号のレベルを検波器１４で検出し、可変減衰器１８の制御電圧をそのＲＦ信号の振幅に同期させ、減衰量を制御する。これにより、ＲＦ信号経路（入力信号ａ）と合成する信号ｌのレベルを最適に調整し、過剰ピーク電力のみを適正な電力まで減衰させることができる。
【００３１】
合成器１９は、遅延回路２０を介して第一分配器１１から送られてきた入力信号ａ（ＲＦ信号）と、可変減衰器１８からの信号ｌとを合成する。
ここで、信号ｌは、ＲＦ信号経路（ＲＦ信号、入力信号ａ）の過剰ピーク時のみに発生し、かつ入力信号ａ（ＲＦ信号）と逆位相の信号である。このため、合成器１９での合成により、過剰ピーク時のみ信号の打ち消し合いを起こし、信号を減衰させることができる。
この合成器１９で過剰ピークの減衰がなされた信号（信号ｍ）は、増幅用素子２１へ送られる。
【００３２】
遅延回路２０は、第一分配器１１から合成器１９へ送られる入力信号ａ（ＲＦ信号）を遅延させる。
この遅延回路２０を設ける理由は、次による。
合成器１９で入力信号ａ（ＲＦ信号）と信号ｌとを合成する際には、過剰ピーク電力が入力された部分にのみ逆位相信号を発生させる必要がある。これは、同一信号の逆位相信号でないと、合成したときに完全に打ち消し合わないからである。このため、ＲＦ信号と第一分配器１１から合成器１９までの信号線路の遅延量の差が０でなければならない。そこで、第一分配器１１から合成器１９までの電気長と同等の電気長を有する遅延回路２０を設けるものである。
【００３３】
増幅用素子２１は、例えば、ハイパワーＦＥＴ（大電流増幅素子、テレビ送信機における増幅用素子として用いる場合など）、電力増幅用ＩＣ、トランジスタ、ＯＰアンプなどが含まれる。
【００３４】
次に、本実施形態のリミッタ回路の信号変換の流れを、図４を参照して説明する。
リミッタ回路１０に入力された入力信号ａ（ＲＦ信号、変調された元信号）には、同図（ａ）に示すように、所定レベル（所定の電圧値）を超えた部分（過剰ピーク）が存在している。
この入力信号ａ（ＲＦ信号）が第一分配器１１で一部分配され、この分配された信号ｂ（第一分配信号）が第二分配器１２へ送られ、さらに信号ｃと信号ｅとに分配される。
【００３５】
信号ｃは、位相反転器１３で位相が１８０度反転した信号として出力され（信号ｄ、逆位相信号、同図（ｂ））、アナログスイッチ１６へ送られる。
一方、信号ｅは、検波器１４に入力され、包絡検波される。検波された信号（検波出力）は、信号ｆと信号ｇとに分けられる。
【００３６】
信号ｆは、電圧比較器１５へ送られる。電圧比較器１５では、信号ｆとともに比較電圧ｈが入力されている。そして、信号ｆが比較電圧ｈを超えている期間のみ一定電圧が出力される（信号ｉ、過剰ピーク検出信号、同図（ｃ））。
一方、信号ｇは、可変減衰器１８へ送られる。この可変減衰器１８の動作については、後述する。
【００３７】
アナログスイッチ１６において、電圧比較器１５からの信号ｉを制御信号として、位相反転器１３からの信号ｄがＯＮ／ＯＦＦ制御される。すなわち、信号ｄにもとづいて、信号ｄの過剰ピーク時のみをパルス状にして抜き出した合成信号（信号ｊ）が出力される（同図（ｄ））。
【００３８】
信号ｊは、Ａ級増幅器１７で線形増幅され、信号ｋとして可変減衰器１８へ送られる。
可変減衰器１８にて、検波器１４からの信号ｇ（制御信号）を用いて信号ｋが適当な電力の信号ｌに調整される。
信号ｌは、入力信号ａ（ＲＦ信号）の過剰ピーク時のみに発生し、かつＲＦ信号と逆位相の信号である。このため、合成器１９では、遅延回路２０を介して第一分配器１１から送られてきた入力信号ａ（ＲＦ信号）と可変減衰器１８からの信号ｌとが合成される。これにより、入力信号ａ（ＲＦ信号）の過剰ピーク時のみ信号の打ち消し合いが起き、信号を減衰させることができる。この減衰させた信号ｍは、増幅用素子２１へ送られる。
【００３９】
［電力増幅器及びテレビ送信機］
次に、本実施形態の電力増幅器及びテレビ送信機について、説明する。
（電力増幅器）
上述した本実施形態のリミッタ回路は、例えば、高周波信号を増幅する電力増幅器に備えることができる。
この電力増幅器には、例えば、上述した特開平６−２１６６６１号公報に記載の「テレビ送信機用非直線補償回路」に開示されている電力増幅器などが含まれる。
【００４０】
ここで、特開平６−２１６６６１号公報に開示の電力増幅器は、映像信号で振幅変調された高周波信号を二分する分配器と、この分配器で分配された高周波信号を増幅する増幅器と、可変バイアス回路で設定される値により、増幅器からの高周波信号の増幅を制限させるリミッタ回路と、このリミッタ回路の出力信号の振幅を調整して合成器に出力する可変減衰器と、この可変減衰器からの高周波信号と分配器からの他方の高周波信号とを合成して出力できる合成器とを備えている。すなわち、この電力増幅器は、振幅制限により発生する信号の位相歪を補償しつつ高周波信号の電力増幅を可能としている。
【００４１】
この従来の電力増幅器に代えて、上述した本実施形態のリミッタ回路１０と、このリミッタ回路１０の出力信号を増幅する増幅用素子２１とを備えた電力増幅器を用いることができる。
これにより、電力増幅器から出力される信号において相互変調歪みの発生を抑えることができる。
【００４２】
（テレビ送信機）
上述した本実施形態のリミッタ回路は、例えば、テレビ送信機の有する電力増幅器に備えることができる。
そのテレビ送信機には、例えば、上記と同様、特開平６−２１６６６１号公報に記載の「テレビ送信機用非直線補償回路」に開示されているテレビ送信機などが含まれる。
【００４３】
ここで、特開平６−２１６６６１号公報に開示のテレビ送信機は、映像終段増幅器にＢ級で動作する電子管を使用するテレビ送信機であって、映像信号（高周波信号）を増幅する電力増幅器が備えられている。この電力増幅器は、振幅制限後に発生する信号の位相歪を補償しつつ高周波信号の電力増幅を可能としている。
この電力増幅器に代えて、上述した本実施形態のリミッタ回路１０と、このリミッタ回路１０の出力信号を増幅する増幅用素子２１とを備えた電力増幅器を用いることができる。
これにより、無用な歪みが発生していない高品質の高周波信号を電力増幅器から得ることができる。
なお、上記の特開平６−２１６６６１号公報には映像終段増幅器にＢ級動作の電子管とあるが、近年では高周波用のハイパワーＦＥＴをＡＢ級動作で使用する事が多い。
【００４４】
以上、本発明のリミッタ回路、電力増幅器及びテレビ送信機の好ましい実施形態について説明したが、本発明に係るリミッタ回路、電力増幅器及びテレビ送信機は上述した実施形態にのみ限定されるものではなく、本発明の範囲で種々の変更実施が可能であることは言うまでもない。
【００４５】
例えば、上述した実施形態では、第一分配器と第二分配器とを分けた構成を示したが、分配器は二つに分けることに限定されるものではなく、一つの分配器で構成することもできる。すなわち、入力信号ａ（ＲＦ信号）から信号ｃと信号ｅとを得る分配器を、第一分配器及び第二分配器に代えて備えることもできる。
また、上述した実施形態では、第一分配器から合成器へ送られる入力信号（ＲＦ信号）を遅延される手段として遅延回路を備えることとしたが、遅延手段は遅延回路に限るものではなく、例えば、遅延線路を用いることもできる。
【００４６】
さらに、上記の実施形態においては、ＲＦ信号を入力信号ａの代表例として説明したが、入力信号ａはＲＦ信号に限るものではなく、例えば、一定周期のパルス波、低周波のＣＷ（Ｃｏｎｔｉｎｕｏｕｓ  Ｗａｖｅ）なども入力信号ａとすることができる。
ただし、一定周期のパルス波や、ＣＷ、振幅変調されたＡＭ信号等の場合、信号を同期させず単純に逆位相の信号にすれば良いだけであるため、合成器において単純に位相が反転していれば良いことになる。このため、遅延回路等は不要となる。
一方、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）や、位相変調された信号などの場合は、振幅の他に位相も変化するため、必ず同じ信号の時間的に同期した逆位相信号を使用する必要がある。
【産業上の利用可能性】
【００４７】
本発明は、入力信号の振幅制限を行うリミッタ回路に関する発明であるため、入力信号の振幅制限が必要な回路や機器に利用可能である。
【図面の簡単な説明】
【００４８】
【図１】本発明のリミッタ回路の構成を示す系統図（ブロック図）である。
【図２】電圧比較器の入力及び出力の各信号波形を示す波形図である。
【図３】アナログスイッチの入力及び出力の各信号波形を示す波形図である。
【図４】本発明のリミッタ回路の動作の流れを示す図である。
【図５】従来のリミッタ回路の構成を示す電子回路図である。
【図６】ダイオードの特性を示すグラフである。
【図７】ダイオードを有したリミッタ回路の入力及び出力の各波形を示す波形図である。
【符号の説明】
【００４９】
１０  リミッタ回路
１１  第一分配器
１２  第二分配器
１３  位相反転器
１４  検波器
１５  電圧比較器
１６  アナログスイッチ
１７  Ａ級増幅器
１８  可変減衰器
１９  合成器
２０  遅延回路
２１  増幅用素子
【図１】
2006287454.tif 000003
【図２】
2006287454.tif 000004
【図３】
2006287454.tif 000005
【図４】
2006287454.tif 000006
【図５】
2006287454.tif 000007
【図６】
2006287454.tif 000008
【図７】
2006287454.tif 000009